(57)【要約】【課題】  本考案は、狭くてかつ舗装化された庭に対し、流木等を再利用することで多種の苗木等を植樹し、より自然に近い日本庭園を形成することを課題としている。【解決手段】  流木等（１）の内部をくり抜きかつ外側面適所にて適数の中空窓部（２）を形成して、庭等に設置し、内部に配合土（３）を充填した後、中空窓部（２）内に多種の苗木、庭木、草花（６）を植樹し、併せて内部に散水用パイプ（５）を配置することでより自然に近い立体的な簡易日本庭園を形成することが可能な多種苗木育成材を提供する。【選択図】図２
0003139487.tif 000002
【実用新案登録請求の範囲】
【請求項１】
流木等（１）を用いて大型かつ立体的簡易日本庭園となる多種苗木形成に関して、内部をくりぬきかつ外側面の適所に適数の中空窓部（２）を形成した流木等（１）を庭等に設置し、流木等（１）の内部には配合土（３）を充填しかつ散水用パイプ（４）を配置し、流木等上部（５）や中空窓部（２）内に苗木、庭木、草花（６）を植樹した後、蓋をすべく樹木外皮（７）を中空窓部（２）に嵌合する多種苗木育成材
【考案の詳細な説明】
【技術分野】
【０００１】  本考案は流木等リサイクル利用可能な木材を使用して流木等を庭に設置後、流木等の外側面適所に適数の苗木を植樹することができ、鑑賞可能な大型盆栽、庭木、草花等として産業上利用可能な多種苗木育成材に関するものである。
【背景技術】
【０００２】  庭等にて日本独自の庭を造園する際、植木鉢を用いる盆栽のほか草花やあまり幹が太くならない庭木を選定して直接植樹する方法が実施されている。【０００３】  日本独自の庭園を鑑賞する際、日本の四季が感じられかつ多種多様の盆栽、庭木、草花等がロケーションとして確保されていることが重要視されるが、庭の面積の狭さや、車の駐車等で効率よく空き地スペースを利用するため、現状では庭を舗装化することが多く、自然あふれる庭園を形成することは困難になりつつある。【０００４】  それでも舗装化かつ限られたスペースの庭に盆栽、庭木、草花等をレイアウトするために主としてプランターや植木鉢が設置されることが数多く見受けられる。然しながら草花や庭木等がより自然に近く、また一定程度の幹の太さを有する樹木を欲しようとするとプランターや植木鉢では限度があり、より自然に近い庭園を形成することはやはり困難であるといわざるを得ない。【０００５】  そこで特開平７−２３６５９号の如く輪切りにした丸太材の中をくり抜き外観を樹木の幹とする植木鉢や、特開２００５−１９２４３５号の如く自然石などから外観を型取りして自然物に似せた植物鉢を形成し、それに伴なう適所の窪みに配合土を投入し苗木、草花等を植栽することで、何種類かの盆栽、草花を育てより自然に近い植物鉢を提供する考案がなされている。
【考案の開示】
【考案が解決しようとする課題】
【０００６】  限られたスペースでかつ舗装化されている庭に対し、より自然に近い日本庭園を実現しようとするためには直接苗木、庭木、草花等を植樹したり植物鉢を並べての雰囲気を醸し出すことが必要となるが、狭いスペースや舗装化された庭では苗木、庭木、草花等を幾本も植樹したり幾鉢も植物鉢を並べることは不可能であり、理想とするより自然に近い日本庭園を形成することは困難である。【０００７】  そこで少しでも人工物を少なくし自然物を多く利用する庭を形成しようとすれば、現状では木材を加工した植物鉢を使用する方法等が従来の公知技術として挙げられる。【０００８】  特開２００５−１９２４３５号では自然石などから外観を型取りしてシリコン等による自然物に似せた植物鉢を形成し、適所に自然石の形態を利用した窪みに対し配合土を投入し、苗木、草花等を植栽することで、何種類かの盆栽、草花を育てることが可能となるが、それでもやはり植物鉢は人工物であり外観上自然物とは明らかに異なる。【０００９】  また各窪みは通常の植木鉢程度の容積しかなく内に投入する配合土も限界があり、従って育つ苗木、草花の大きさは必然的に小ぶりのままである。確かにミニ庭園としては自然石に似せた人工的構造物に何箇所か盆栽、草花が育ち一定の外観が確保されることにはなるが、より自然に近い日本庭園の形成にはほど遠いものであろう。【００１０】  次に特開平７−２３６５９号の如く輪切りにした丸太材の中をくり抜き外観を樹木の幹とする植木鉢を用いる考案では、確かに植物鉢及び盆栽、草花等すべてにおいて自然物とする外観を確保できることになる。【００１１】  然しながら植物鉢上に育つ植物はその大きさが限定され、しかも各植物毎に対応する植物鉢の数が必要であり、限られたスペースの庭では複数の植物鉢を設置することは困難である。【００１２】  以上の如く、限られたスペースでかつ舗装化されている庭に対しより自然に近い日本庭園を実現するべく何種類かの苗木、庭木、草花を植樹して一定の大きさまで育てるには従来の公知技術では困難であり、かつ外観上もまた自然に近い状態を確保することも困難であるといえよう。
【課題を解決するための手段】
【００１３】  上記の課題を解決するため本考案は以下の如く施工対象物、施工方法を提供するものである。【００１４】  即ち本考案は外観上一定の大きさと高さを有する流木等をたとえ舗装化された庭であるなら流木等の外径を越える程度の盛土を外枠等を用いて形成し、その中に流木等を設置する。【００１５】  設置した流木等をくり抜きその内部に配合土を充填し、かつ流木等の外側面に該当する外皮側適所に適数箇所苗木等が植樹可能な中空窓部を形成する。【００１６】  流木等の上部や外側面に形成した中空窓部に、多種多様の苗木や草花を植樹することで、上記の課題が解決される。
【考案の効果】
【００１７】  本考案と従来の公知技術との差異は以下の通りである。先ず特開平７−２３６５９号の如く輪切りにした木材の中をくり抜き外観を樹木の幹とする植物鉢を使用する場合では各々の苗木、庭木、草花に対し、各々の植物鉢が必要となり限られたスペースで何種類かの植物鉢を設置することは困難となる。【００１８】  次に特開２００５−１９２４３５号では自然石等の型をとり彫塑の如くシリコン等で植物鉢を形成することでその窪みを利用し植樹箇所を複数確保するのだが、植物鉢の素材がシリコン等では明らかに自然物とは異なり、外観上すべて自然を再現したとはいえない。【００１９】  また人身の高さをはるかに超える流木等と同等の高さ規模を有する人工的な植物鉢の造形物を形成することは制作上や費用上でも困難であり、造形物自体大型になればなるほど自然性が喪失される矛盾を抱えることになる。【００２０】  更に造形物の窪みに配合土を投入した窪みが植樹箇所となるため、その容積は小さく固定され、小型盆栽や草花程度の規模内での植樹、育成しか期待できず極めて限定化されてしまう。【００２１】  以上の課題を本考案はすべて克服しかつより自然に近い庭園空間を狭いスペースの中で効率的に確保し、数年先には土台となる流木等が自然と外れたり意図に外すことで景観が劇的に変化し、新たな自然に近い景観を堪能することができるのである。【００２２】  土台としては、先ず人身の高さをはるかに超える流木等を土台として設置し、内部をくり抜きかつ外側面適所に適数中空窓部を形成する。流木等内には配合土を充填することで上部、外側面部の中空窓部に何種類かの苗木、庭木、草花を植樹することができる。即ち限られた狭いスペースでの庭において水平方向に使用面積を拡大するのではなく高層ビルの如く垂直上部方向に植樹することができるのである。【００２３】  しかも使用する土台は流木等であり、垂直方向に設置するだけでも年輪を重ねた古木が以前から設置場所に存在していた如く感じられ、自然をよりよく実感することが可能である。更には流木等の上部、外側面適所には何種類かの苗木、庭木、草花が絡まるように並林、共生しているかのように外観上確保され、また植樹後樹木外皮で中空窓部を蓋することで外観上ほぼ完全な樹木を確保することができ、従ってより自然に近くかつ時の流れも感じさせる雑木林に似た景観を簡単に生じさせることができるのである。【００２４】  土台となる流木等の内部には散水用パイプを配置することで、一定の水分を簡単に補給できるので植樹した苗木、庭木、草花を枯らすことなく順調に育成することもできる。【００２５】  本考案の多種苗木育成材を舗装化された庭に設置する場合、その周辺に必要な土壌は土台となる流木等が倒れない程度に用意すればよいのであり、舗装化された庭をあらためて掘り返す等大掛かりな土台工事は一切不要なのである。つまり流木等自体はもはや成長するものではなく、根を張ることは有り得ないので土台固定のための最小限の土壌のみ必要であり、土台工事自体舗装化された庭の上で実施することが十分に可能となる。【００２６】  本考案の多種苗木育成材を設置した後苗木、庭木、草花を植樹し、樹木外皮にて中空窓部を蓋することで本考案の設置工事は完了す���のだが、実は数年後、植樹した苗木、庭木は流木等に充填された配合土を介して根を張り成長し続け、土台となった流木等自体が朽ちてきて割れたりすることで自然に外れたりまたは人為的に外したりした段階で、植樹した苗木、庭木は自立自生できるほど成長しており、その結果流木等に支えられることなく見事に並林、共生している姿が見られることになり、流木等が設置してあった外観とは別の新たな自然景観を楽しむことができるのである。
【考案を実施するための最良の形態】
【００２７】  本考案を実施するにあたり使用する流木等はなるべく径は大きく高さも人身をはるかに超える素材を選択する。設置する前段階として流木等の内部くり抜き、外側面には適所に適数箇所の苗木等が植樹可能な中空窓部を形成する。設置段階で流木等を固定化する分の土壌と流木内に充填する苗木等を育てる配合土を用意する。【００２８】  施工主の依頼に応じるべく植樹用の苗木、庭木、草花等何種類か用意する。更に流木等内に散水可能なパイプも用意する。以上の準備物で本件考案の多種苗木育成材を設置しより自然に近い簡易的な日本庭園を実現することができる。
【実施例】
【００２９】  図１は本考案の土台となる流木等（１）を加工する段階を示しており、流木等（１）の内部をくり抜きかつ外側面に対し適所に適数の中空窓部（２）を形成し、立地すべく庭の位置に流木等（１）を土壌で固定する。この段階では流木等（１）から根が張り出すことは決して有りえないので地中深くまで土壌を満たす必要はなく、通常の木製柱を固定化する如く舗装された庭の上に盛土するのみで流木等（１）を固定化することが可能である。【００３０】  図２は庭に流木等（１）を固定化した後、多種多様の植物種を植樹した図である。先ず固定化後くり抜かれた流木等（１）の内部に配合土（３）を充填する。更に流木等上部（５）または中空窓部（２）の適所一箇所から散水用パイプ（４）を内部に配置し、充填された配合土（３）に植樹育成に必要な水分を補給することを可能とする。【００３１】  次に流木等上部（５）または中空窓部（２）内に苗木、庭木、草花（６）を植樹し、かつ中空窓部（２）を樹木外皮（７）にて蓋をすることで、一本の流木等（１）から四方八方へと多種多様の植物種が茂る立体的でより自然に近い多種苗木育成材が完成するのである。
【図面の簡単な説明】
【００３２】
【図１】  本考案の土台となる流木等を加工した斜面図
【図２】  流木等に苗木、庭木、草花等多種多様な植物種を植樹した斜面図
【符号の説明】
【００３３】    １  流木等
２  中空窓部
３  配合土
４  散水用パイプ
５  流木等上部
６  苗木、庭木、草花
７  樹木外皮
【図１】
0003139487.tif 000003
【図２】
0003139487.tif 000004